【手続補正書】
【提出日】平成25年3月29日(2013.3.29)
【手続補正１】
【補正対象書類名】特許請求の範囲
【補正対象項目名】全文
【補正方法】変更
【補正の内容】
【特許請求の範囲】
【請求項１】
ユーザー情報を含むデータベースからのユーザー情報のコンテキストリンクされたインポートおよび対話方式の環境へのインポートのための方法であって、該対話方式の環境は、コンピューター上にインプリメントされ、かつ、ネットワークを介して他のユーザーにアクセス可能であり、該方法は、
複数の予め識別されたユーザーによるコンテンツのポスティングを可能にする該コンピューター上の対話方式の環境を提供することと、
予め識別されたユーザーから、該対話方式の環境のための該コンピューター上の第一のコンテンツを受信することと、
第一の予め識別されたユーザーによりポスティングされた該第一のコンテンツに基づいて該予め識別されたユーザーに関する関連データを該コンピューター上でデータベースから自動的に識別および選択することであって、該関連データは、（ｉ）該第一のコンテンツに対して自然言語処理を実行すること、（ｉｉ）該第一のコンテンツに適用された一つ以上のタグを構文解析すること、または（ｉｉｉ）該第一のコンテンツに基づいて推測を形成することにより、該第一のコンテンツに対する一つ以上の関連用語を識別することと、該一つ以上の関連用語に基づいて該データベースから関連データを選択することとにより、該第一の予め識別されたユーザーによりポスティングされた該第一のコンテンツに含まれる情報に基づいて、該第一の予め識別されたユーザーにより以前に送られたデータから選択される、ことと、
該コンピューターを介して、該対話方式の環境上に、該第一のコンテンツと共に該関連データを他のユーザーに表示することと
を含む、方法。
【請求項２】
請求項１に記載の方法であって、該方法は、
前記データベースを前記コンテンツに含まれる情報でアップデートすることをさらに含む、方法。
【請求項３】
前記データベースはトピック関連データベースであり、トピックは健康に関する、請求項１に記載の方法。
【請求項４】
前記関連データは、少なくとも１つの病状メトリックを含む、請求項３に記載の方法。
【請求項５】
前記関連データは、チャートで表示される、請求項１に記載の方法。
【請求項６】
請求項１に記載の方法であって、該方法は、
第二の予め識別されたユーザーから応答を受信することと、
該第二の予め識別されたユーザーに関する関連データをデータベースから自動的に識別および選択することであって、該第二の予め識別されたユーザーに関する該関連データは、該第二の予め識別されたユーザーから受信された該応答に含まれる情報に基づいて選択される、ことと、
前記対話方式の環境上に該応答と共に該第二の予め識別されたユーザーに関する該関連データを他のユーザーに表示することと
をさらに含む、方法。
【請求項７】
非一時的および有形のコンピューター読取り可能媒体であって、該非一時的および有形のコンピューター読取り可能媒体のコンテンツは、コンピューターに、データベースからのユーザー情報の対話方式の環境へのコンテキストリンクされたインポートのための方法を実行させ、該対話方式の環境は、コンピューター上にインプリメントされ、かつ、他のユーザーにアクセス可能であり、該方法は、
複数の予め識別されたユーザーによるコンテンツのポスティングを可能にする該コンピューター上の対話方式の環境を提供することと、
予め識別されたユーザーから、該対話方式の環境に対する該コンピューター上の第一のコンテンツを受信することと、
第一の予め識別されたユーザーによりポスティングされた該第一のコンテンツに基づいて該予め識別されたユーザーに関する関連データを該コンピューター上でデータベースから自動的に識別および選択することであって、該関連データは、（ｉ）該第一のコンテンツに対して自然言語処理を実行すること、（ｉｉ）該第一のコンテンツに適用された一つ以上のタグを構文解析すること、または（ｉｉｉ）該第一のコンテンツに基づいて推測を形成することにより、該第一のコンテンツに対する一つ以上の関連用語を識別することと、該一つ以上の関連用語に基づいて該データベースから関連データを選択することとにより、該第一の予め識別されたユーザーによりポスティングされた該第一のコンテンツに含まれる情報に基づいて、該第一の予め識別されたユーザーにより以前に送られたデータから選択される、ことと、
該コンピューターを介して、該対話方式の環境上に、該第一のコンテンツと共に該関連データを他のユーザーに表示することと
を含む、非一時的および有形のコンピューター読取り可能媒体。
【請求項８】
データベースからのユーザー情報のコンテキストリンクされた識別および対話方式の環境へのインポートのためのシステムであって、該対話方式の環境は、コンピューター上にインプリメントされ、かつ、他のユーザーにアクセス可能であり、該システムは、
データベースと、
該データベースと通信するサーバーと
を備え、該サーバーは、
複数の予め識別されたユーザーによるコンテンツのポスティングを可能にする対話方式の環境を提供することと、
第一の予め識別されたユーザーから、該対話方式の環境に対するコンテンツを受信することと、
該第一の予め識別されたユーザーによりポスティングされた第一のコンテンツに基づいて該第一の予め識別されたユーザーに関する関連データをデータベースから自動的に識別および選択することであって、該関連データは、（ｉ）該第一のコンテンツに対して自然言語処理を実行すること、（ｉｉ）該第一のコンテンツに適用された一つ以上のタグを構文解析すること、または（ｉｉｉ）該第一のコンテンツに基づいて推測を形成することにより、該第一のコンテンツに対する一つ以上の関連用語を識別することと、該一つ以上の関連用語に基づいて該データベースから関連データを選択することとにより、該第一の予め識別されたユーザーによりポスティングされた該第一のコンテンツに含まれる情報に基づいて、該第一の予め識別されたユーザーにより以前に送られたデータから選択される、ことと、
該対話方式の環境上に該第一のコンテンツと共に該関連データを他のユーザーに表示することと
を行うように構成されている、システム。
【請求項９】
ユーザー情報を含むデータベースからのユーザー情報のコンテキストリンクされた識別および対話方式のフォーラムへのインポートのための方法であって、該対話方式のフォーラムは、コンピューター上でホストされ、かつ、ネットワークを介して他のユーザーにアクセス可能であり、該方法は、
予め識別されたユーザーの医療状態または医療履歴に関する第一の予め識別されたユーザーからの該コンピューター上のデータを受信することと、
該第一の予め識別されたユーザーの医療状態または医療履歴に関する該コンピューター上の該データをデータベースに格納することと、
複数の予め識別されたユーザーによる医療トピックに関するコンテンツのポスティングおよび表示を可能にする該コンピューター上の対話方式のフォーラムを提供することと、
第一の予め識別されたユーザーから、対話方式の環境のために医療トピックに関連する該コンピューター上の第一のコンテンツを受信することと、
該第一の予め識別されたユーザーによりポスティングされた該第一のコンテンツに基づいて該第一の予め識別されたユーザーの医療状態または医療履歴に関する関連データを該コンピューター上で該データベースから自動的に識別および選択することであって、該関連データは、（ｉ）該第一のコンテンツに対して自然言語処理を実行すること、（ｉｉ）該第一のコンテンツに適用された一つ以上のタグを構文解析すること、または（ｉｉｉ）該第一のコンテンツに基づいて推測を形成することにより、該第一のコンテンツに対する一つ以上の関連用語を識別することと、該一つ以上の関連用語に基づいて該データベースから関連データを選択することとにより、該第一の予め識別されたユーザーによりポスティングされた該第一のコンテンツに含まれる情報に基づいて選択される、ことと、
該コンピューターを介して、該対話方式のフォーラム上に、該第一のコンテンツと共に該第一の予め識別されたユーザーの医療状態または医療履歴に関する関連データを他のユーザーに表示することと
を含む、方法。
【請求項１０】
前記関連データは、前記予め識別されたユーザーによる前記第一のコンテンツの対話方式のフォーラムへのポスティングの後に、前記第一の予め識別されたユーザーにより送られたデータを含む、請求項１に記載の方法。
【手続補正２】
【補正対象書類名】明細書
【補正対象項目名】００２１
【補正方法】変更
【補正の内容】
【００２１】
本願明細書は、例えば、以下の項目も提供する。
（項目１）
ユーザー情報のコンテキストリンクされたインポートのための方法であって、該方法は、
複数の予め識別されたユーザーによるコンテンツのポスティングを可能にする対話方式の環境を提供することと、
予め識別されたユーザーから、該対話方式の環境のためのコンテンツを受信することと、
該予め識別されたユーザーに関する関連データをデータベースから選択することであって、該関連データは、該コンテンツに含まれる情報に基づいて選択される、ことと、
該対話方式の環境上に、該コンテンツと共に該関連データを表示することと
を含む、方法。
（項目２）
項目１に記載の方法であって、該方法は、
前記データベースを前記コンテンツに含まれる情報でアップデートすることをさらに含む、方法。
（項目３）
前記データベースはトピック関連データベースである、項目１に記載の方法。
（項目４）
トピックは、健康に関する、項目１に記載の方法。
（項目５）
前記関連データは、少なくとも１つの病状メトリックを含む、項目４に記載の方法。
（項目６）
前記病状メトリックは、病状の量的な表示である、項目５に記載の方法。
（項目７）
前記病状メトリックは、病理学の直接計測、機能的損傷のユーザー報告計測、健康に関連する生活の質のユーザー報告結果および病状のユーザー報告進展から構成されるグループから選択された１つである、項目５に記載の方法。
（項目８）
前記病状は、パーキンソン病、ハンティングトン舞踏病およびツレット症候群を含む運動障害と、背中の痛みを含む痛み障害と、関節炎、変形性関節炎、リウマチ様動脈炎、乾癬性関節炎、ライム病および痛風を含むリウマチ障害と、てんかんを含む発作障害と、筋萎縮性側索硬化症、多発性硬化症、クロイツフェルト‐ヤーコプ病およびアルツハイマー病を含む神経退行性疾患と、喘息、慢性閉塞性肺疾患および嚢胞性線維症を含む肺疾患と、勃起不全および膣痙を含む性障害と、うつ病および不安を含む気分障害と、ニコチン嗜癖およびアルコール中毒を含む嗜癖と、片頭痛と、線維筋痛症と、疲労障害と、痴呆と、摂食障害と、高コレステロール血症と、高脂血症と、高リポ蛋白血症と、高トリグリセリド血症と、脈管炎（ｖａｓｃｕｌａｔｉｔｉｓ）と、糖尿病と、肥満症と、胃食道（ｇａｓｔｒｏｅｓｏｐｈｏｇｅａｌ）逆流性疾患と、消化不良と、貧血と、癌と、高血圧症と、腎不全と、狼瘡と、妊娠と、術後状態とから構成されるグループから選択された１つである、項目５に記載の方法。
（項目９）
前記関連データは、介入データを含む、項目４に記載の方法。
（項目１０）
前記介入データは、介入投薬と、介入頻度と、介入指示順守度とから構成されるグループから選択された少なくとも１つを含む、項目９に記載の方法。
（項目１１）
前記介入データは、医薬投与と、治療薬投与と、栄養サプリメントの投与と、ビタミンの投与と、運動と、理学療法と、マッサージと、ストレッチと、食品の消費と、休憩と、睡眠とから構成されるグループから選択された介入に関するデータである、項目９に記載の方法。
（項目１２）
項目１に記載の方法であって、該方法は、
前記ユーザーが介入または病状メトリックに関する新たなデータを送るためのインターフェイスを提供することをさらに含む、方法。
（項目１３）
項目１１に記載の方法であって、該方法は、
前記対話方式の環境上に、投稿と共に新たなデータを表示することをさらに含む、方法。
（項目１４）
前記関連データは、グラフィカル要素で表示される、項目１に記載の方法。
（項目１５）
前記グラフィカル要素は、チャートである、項目１３に記載の方法。
（項目１６）
前記チャートは、折れ線チャートである、項目１５に記載の方法。
（項目１７）
時間が、前記チャートのｘ軸上に描写される、項目１５に記載の方法。
（項目１８）
前記方法は、コンピューターインプリメント方法である、項目１に記載の方法。
（項目１９）
項目１に記載の方法であって、該方法は、
第二の予め識別されたユーザーから応答を受信することと、
該第二の予め識別されたユーザーに関する関連データをデータベースから選択することであって、該第二の予め識別されたユーザーに関する該関連データは、該応答に含まれる情報に基づいて選択される、ことと、
前記対話方式の環境上に該応答と共に該第二の予め識別されたユーザーに関連する該関連データを表示することと
をさらに含む、方法。
（項目２０）
項目１に記載の方法であって、該方法は、
メッセージと共に、該メッセージの主題に関するさらなる情報へのハイパーリンクを表示することをさらに含む、方法。
（項目２１）
項目１に記載の方法であって、前記予め識別されたユーザーに関する関連データをデータベースから選択するステップは、
メッセージ上で自然言語処理を実行することを含む、方法。
（項目２２）
項目１に記載の方法であって、前記予め識別されたユーザーに関する関連データをデータベースから選択するステップは、
前記コンテンツに適用された１つ以上のタグを閲覧することを含む、方法。
（項目２３）
コンピューター読取り可能媒体であって、該コンピューター読取り可能媒体のコンテンツは、ユーザー情報のコンテキストリンクされたインポートのための方法をコンピューターに実行させ、該方法は、
複数の予め識別されたユーザーによるコンテンツのポスティングを可能にする対話方式の環境を提供することと、
予め識別されたユーザーから、該対話方式の環境に対するコンテンツを受信することと、
該予め識別されたユーザーに関する関連データをデータベースから選択することであって、該関連データは、該コンテンツに含まれた情報に基づいて選択される、ことと、
該対話方式の環境上に該コンテンツと共に該関連データを表示することと
を含む、コンピューター読取り可能媒体。
（項目２４）
前記コンピューター読取り可能媒体は、非一時的かつ有形である、項目２３に記載のコンピューター読取り可能媒体。
（項目２５）
ユーザー情報のコンテキストリンクされたインポートのためのシステムであって、該システムは、
データベースと、
該データベースと通信するサーバーと
を備え、該サーバーは、
複数の予め識別されたユーザーによるコンテンツのポスティングを可能にする対話方式の環境を提供することと、
予め識別されたユーザーから、該対話方式の環境に対するコンテンツを受信することと、
該予め識別されたユーザーに関する関連データをデータベースから選択することであって、該関連データは、該コンテンツに含まれる情報に基づいて選択される、ことと、
該対話方式の環境上に該コンテンツと共に該関連データを表示することと
を行うように構成されている、システム。
（項目２６）
ユーザー情報のコンテキストリンクされたインポートのためのシステムであって、該システムは、
メッセージングモジュールであって、該メッセージングモジュールは、
複数の予め識別されたユーザーによるコンテンツのポスティングを可能にする対話方式の環境を提供することと、
予め識別されたユーザーから、対話方式の環境に対するコンテンツを受信することと、
該対話方式の環境上に該コンテンツと共に関連データを表示することと
を行うように構成されている、メッセージングモジュールと、
該コンテンツに含まれる情報に基づいて、該予め識別されたユーザーに関する関連データをデータベースから選択するように構成されているデータインポートモジュールと
を含む、システム。
（項目２７）
項目２６に記載のシステムであって、該システムは、
前記予め識別されたユーザーを認証するように構成されている認証モジュールをさらに含む、システム。
（項目２８）
ユーザー情報のコンテキストリンクされたインポートのための方法であって、該方法は、
複数のユーザー間でのコンテンツの伝送を可能にするメッセージングシステムを提供することであって、該ユーザーの少なくとも１人は予め識別されている、ことと、
第一の予め識別されたユーザーから第二のユーザーへのコンテンツを受信することと、
該予め識別されたユーザーに関する関連データをデータベースから選択することであって、該関連データは、該コンテンツに含まれる情報に基づいて選択される、ことと、
該コンテンツと共に該関連データを該第二のユーザーに示すことと
を含む、方法。
本発明の性質および所望の目的をより完全に理解するために、添付の図面に関連して、以下の詳細な説明へ参照がなされる。類似の参照文字は、いくつかの図を一貫して、対応する部分を示す。